(57)【要約】【課題】装置の小型化を図りつつ、霧状の液体を的確に回収することができる液体吐出装置を提供する。【解決手段】液体を吐出する吐出口を有する液体吐出ヘッドを用いて、媒体における前記吐出口と対向する一方の面に液体を吐出する液体吐出装置であって、前記吐出口と対向する位置において前記媒体を所定の搬送方向へ搬送し、前記液体吐出ヘッドに対して前記搬送方向の上流側および下流側に位置して前記媒体の一方の面に接する部材を含む搬送手段と、前記媒体の一方の面との間に前記搬送方向の上流側の前記部材を挟むような位置に配置されており、導入口から導入された空気を、前記搬送方向の上流側から前記液体吐出ヘッドと前記媒体の一方の面との間へ導出する供給口を有する供給手段と、前記媒体の一方の面との間に前記搬送方向の下流側の前記部材を挟むような位置に配置されており、前記液体吐出ヘッドと前記媒体の一方の面との間の空気を、前記搬送方向の下流側にて吸引する吸引口を有する吸引手段と、を備える。【選択図】図５
2014205262.tif 000002
【特許請求の範囲】
【請求項１】
液体を吐出する吐出口を有する液体吐出ヘッドを用いて、媒体における前記吐出口と対向する一方の面に液体を吐出する液体吐出装置であって、
前記吐出口と対向する位置において前記媒体を所定の搬送方向へ搬送し、前記液体吐出ヘッドに対して前記搬送方向の上流側および下流側に位置して前記媒体の一方の面に接する部材を含む搬送手段と、
前記媒体の一方の面との間に前記搬送方向の上流側の前記部材を挟むような位置に配置されており、導入口から導入された空気を、前記搬送方向の上流側から前記液体吐出ヘッドと前記媒体の一方の面との間へ導出する供給口を有する供給手段と、
前記媒体の一方の面との間に前記搬送方向の下流側の前記部材を挟むような位置に配置されており、前記液体吐出ヘッドと前記媒体の一方の面との間の空気を、前記搬送方向の下流側にて吸引する吸引口を有する吸引手段と、
を備えることを特徴とする液体吐出装置。
【請求項２】
前記供給手段は、前記搬送方向の上流側の前記部材を支持する支持部材に備わることを特徴とする請求項１に記載の液体吐出装置。
【請求項３】
前記吸引手段は、前記搬送方向の下流側の前記部材を支持する支持部材に備わることを特徴とする請求項１または請求項２に記載の液体吐出装置。
【請求項４】
前記液体吐出ヘッドは、前記搬送方向において隣接する第１液体吐出ヘッドおよび第２液体吐出ヘッドを含み、
前記供給手段は、前記第１液体吐出ヘッドの前記搬送方向の上流側に配置される第１供給手段および前記第２液体吐出ヘッドの前記搬送方向の上流側に配置される第２供給手段を含み、
前記吸引手段は、前記第１液体吐出ヘッドの前記搬送方向の下流側に配置される第１吸引手段および前記第２液体吐出ヘッドの前記搬送方向の下流側に配置される第２吸引手段を含む、
ことを特徴とする請求項１に記載の液体吐出装置。
【請求項５】
前記第１供給手段は、前記第１液体吐出ヘッドの前記搬送方向の上流側に位置する前記部材を支持する支持部材に備わり、
前記第２吸引手段は、前記第２液体吐出ヘッドの前記搬送方向の下流側に位置する前記部材を支持する支持部材に備わり、
前記第１吸引手段および前記第２供給手段は、前記第１液体吐出ヘッドと前記第２液体吐出ヘッドとの間に位置する前記部材を支持する支持部材に備わることを特徴とする請求項４に記載の液体吐出装置。
【請求項６】
前記部材は、前記媒体の一方の面とは反対の面に接するローラとの間に前記媒体を挟持するピンチローラであることを特徴とする請求項１から請求項５のいずれか１項に記載の液体吐出装置。
【請求項７】
前記導入口から導入された空気は加湿されていることを特徴とする請求項１から請求項６のいずれか１項に記載の液体吐出装置。
【請求項８】
前記供給手段は複数の供給口を有し、当該複数の供給口には前記液体吐出ヘッドの側面に向かって開口している第１供給口が含まれることを特徴とする請求項１から請求項７のいずれか１項に記載の液体吐出装置。
【請求項９】
前記第１供給口は、前記媒体に対して、前記部材の前記媒体の一方の面に接する面とは反対の面の位置よりも遠い位置にあることを特徴とする請求項８に記載の液体吐出装置。
【請求項１０】
前記供給手段は、前記第１供給口に空気を導く第１ダクトを有しており、前記第１ダクトは屈曲部を有することを特徴とする請求項８または請求項９に記載の液体吐出装置。
【請求項１１】
前記複数の供給口には、前記媒体の一方の面に向かって開口している第２供給口が含まれることを特徴とする請求項８から請求項１０のいずれか１項に記載の液体吐出装置。
【請求項１２】
前記第２供給口は、前記媒体に対して、前記部材の前記媒体の一方の面に接する面とは反対の面の位置よりも近い位置にあることを特徴とする請求項１１に記載の液体吐出装置。
【請求項１３】
前記吸引手段は前記吸引口に吸引された空気を導くダクトを有しており、前記ダクトは湾曲部を有することを特徴とする請求項１から請求項１２のいずれか１項に記載の液体吐出装置。
【請求項１４】
前記吸引口は、前記媒体に対して、前記部材の前記媒体の一方の面に接する面とは反対の面の位置よりも遠い位置にあることを特徴とする請求項１から請求項１３のいずれか１項に記載の液体吐出装置。
【請求項１５】
前記吸引口は、前記媒体に対して、前記部材の前記媒体の一方の面に接する面とは反対の面の位置よりも近い位置にあることを特徴とする請求項１から請求項１３のいずれか１項に記載の液体吐出装置。
【請求項１６】
前記搬送方向と交差する方向において、前記供給手段における前記供給口が設けられている範囲、および前記吸引手段における前記吸引口が設けられている範囲は、前記液体吐出ヘッドにおける前記吐出口が設けられている範囲と等しいか、またはそれよりも広いことを特徴とする請求項１から請求項１５のいずれか１項に記載の液体吐出装置。
【請求項１７】
前記搬送方向と交差する方向において、前記供給手段における前記供給口が設けられている範囲、および前記吸引手段における前記吸引口が設けられている範囲は、前記液体吐出ヘッドにおける前記吐出口が設けられている範囲よりもやや狭いことを特徴とする請求項１から請求項１５のいずれか１項に記載の液体吐出装置。
【請求項１８】
前記供給手段から導出される空気の量は、記録デューティ、記録媒体の種類、記録媒体のサイズ、液体の種類、および記録媒体の搬送速度のうち、少なくとも１つの条件に応じて調整されることを特徴とする請求項１から請求項１７のいずれか１項に記載の液体吐出装置。
【請求項１９】
前記吸引手段へ吸引される空気の量は、記録デューティ、記録媒体の種類、記録媒体のサイズ、液体の種類、および記録媒体の搬送速度のうち、少なくとも１つの条件に応じて調整されることを特徴とする請求項１から請求項１８のいずれか１項に記載の液体吐出装置。
【請求項２０】
前記供給手段の前記導入口へ空気を導入する供給源をさらに備えることを特徴とする請求項１から請求項１９のいずれか１項に記載の液体吐出装置。
【請求項２１】
前記供給源は空気を一定の湿度に制御することを特徴とする請求項２０に記載の液体吐出装置。
【請求項２２】
前記供給源は空気を一定の温度に制御することを特徴とする請求項２０または請求項２１に記載の液体吐出装置。
【請求項２３】
前記供給源は、前記吐出口からの液体の吐出の開始前から空気の供給を開始し、前記吐出口からの液体の吐出の終了後の所定時間の経過後に空気の供給を終了することを特徴とする請求項２０から請求項２２のいずれか１項に記載の液体吐出装置。
【請求項２４】
前記吸引手段は、前記吐出口からの液体の吐出の開始前から空気の吸引を開始し、前記吐出口からの液体の吐出の終了後の所定時間の経過後に空気の吸引を終了することを特徴とする請求項１から請求項２３のいずれか１項に記載の液体吐出装置。
【請求項２５】
前記供給源および前記吸引手段は、前記吐出口からの液体の吐出の開始とともに空気の供給および吸引を開始し、前記吐出口からの液体の吐出の終了とともに空気の供給および吸引を終了することを特徴とする請求項２０から請求項２２のいずれか１項に記載の液体吐出装置。
【請求項２６】
前記吸引手段には前記液体吐出ヘッドの吐出口から生じた霧状の液体を回収する回収部材が設けられていることを特徴とする請求項１から請求項２５のいずれか１項に記載の液体吐出装置。
【発明の詳細な説明】
【技術分野】
【０００１】
本発明は、例えば、インクを吐出可能なインクジェット記録ヘッドを用いるインクジェット記録装置などとして、広く適用可能な液体吐出装置に関する。
【背景技術】
【０００２】
インクなどの液体を吐出して記録媒体に記録を行うインクジェット装置において、吐出口からインクを吐出する際にインク滴とともに細かい霧状のインクミストが発生してしまうことがある。
【０００３】
特許文献１には、複数のピンチローラ間に配置された複数のヘッドの吐出口に対して、搬送方向上流側から加湿された空気を供給し、搬送方向下流側であり且つ読取部よりも上流側にて、インクミストを含んだ空気を吸引する構成が開示されている。特許文献１の構成においては、読取部よりも搬送方向上流側にてインクミストを吸引することによって、読取部にインクミストが付着して、読取部の読取精度が低下することを防止している。
【先行技術文献】
【特許文献】
【０００４】
【特許文献１】特開２０１２−６６５４１号公報
【発明の概要】
【発明が解決しようとする課題】
【０００５】
しかしながら、特許文献１の構成によると、複数のヘッドの全てに対して、搬送方向上流側から空気を供給し、搬送方向下流側にて複数のヘッドの吐出口から生じたインクミストを含む空気をまとめて吸引する。そうすると、搬送方向下流側に位置するヘッドまで空気が十分届かず、インクミストを的確に回収できないおそれがある。また、搬送方向上流側に位置するヘッドの吐出口から生じたインクミストが、それよりも下流側に位置するヘッドの吐出口に付着して、異なる色のインクが混ざり合い、画像品質の低下を引き起こすおそれがある。
【０００６】
本発明は上記課題に鑑みなされたものである。そして、その目的は装置の小型化を図りつつ、霧状の液体を的確に回収することができる液体吐出装置を提供することにある。
【課題を解決するための手段】
【０００７】
上記課題を解決するために、本発明に係る液体吐出装置は、液体を吐出する吐出口を有する液体吐出ヘッドを用いて、媒体における前記吐出口と対向する一方の面に液体を吐出する液体吐出装置であって、前記吐出口と対向する位置において前記媒体を所定の搬送方向へ搬送し、前記液体吐出ヘッドに対して前記搬送方向の上流側および下流側に位置して前記媒体の一方の面に接する部材を含む搬送手段と、前記媒体の一方の面との間に前記搬送方向の上流側の前記部材を挟むような位置に配置されており、導入口から導入された空気を、前記搬送方向の上流側から前記液体吐出ヘッドと前記媒体の一方の面との間へ導出する供給口を有する供給手段と、前記媒体の一方の面との間に前記搬送方向の下流側の前記部材を挟むような位置に配置されており、前記液体吐出ヘッドと前記媒体の一方の面との間の空気を、前記搬送方向の下流側にて吸引する吸引口を有する吸引手段と、を備えることを特徴とする。
【発明の効果】
【０００８】
本発明によれば、装置の小型化を図りつつ、霧状の液体を的確に回収することができる液体吐出装置を提供することができる。
【図面の簡単な説明】
【０００９】
【図１】インクジェット記録装置の内部構成を示す概略斜視図である。
【図２】記録ヘッドの吐出口面とは反対側から見た記録装置内部の平面図である。
【図３】（ａ）および（ｂ）はピンチローラベースなどを示す側面図である。
【図４】図２の線IV−IVに沿った面を示す断面図である。
【図５】（ａ）および（ｂ）は図２の線Ｖ−Ｖに沿った面を示す断面図である。
【図６】（ａ）および（ｂ）は図２の線VI−VIに沿った面を示す断面図である。
【図７】記録装置における空気の流れを示す図である。
【発明を実施するための形態】
【００１０】
以下に図面を参照して本発明の実施形態を詳細に説明する。  
【００１１】
（実施形態）
図１は液体吐出装置としてのインクジェット記録装置（以下「記録装置」という）５０の内部構成を示す概略斜視図である。同図に示すように、記録装置５０は、液体吐出ヘッドとしての複数の記録ヘッド１（１ａ、１ｂ、１ｃ）、および複数の搬送手段（ローラ対６７、７８ａ〜７８ｄ、８９）などから構成されている。
【００１２】
本実施形態において記録装置５０は、シアンインク用の記録ヘッド１ａ、マゼンタインク用の記録ヘッド１ｂ、およびイエローインク用の記録ヘッド１ｃの３つの記録ヘッド１を用いる。図１に示すように、各記録ヘッド１は記録媒体５の搬送方向（図中Ｙ方向）に沿って、Ｙ方向上流側から下流側へ記録ヘッド１ａ〜１ｃの順番に配置されている。
【００１３】
図示しないが、各記録ヘッド１には、記録媒体５の記録面（一方の面）と対向する面（吐出口面Ｐ）に、記録媒体５に向けてインクなどの液体を吐出する吐出口が複数設けられている。この複数の吐出口は、搬送方向と交差する方向である記録媒体５の幅方向（図中Ｘ方向）に沿って配列されて１つの吐出口列を構成している。本実施形態においては、Ｘ方向におけるこの１つの吐出口列の長さが、記録ヘッド１の最大記録幅となる。なお、本実施形態におけるインクの吐出方式は発熱抵抗素子（ヒータ）を用いる方式を採用する。
【００１４】
記録ヘッド１は不図示のインクチューブを介して不図示のインクタンクと接続されており、インクタンクから供給されたインクを吐出口から吐出する。本実施形態において記録ヘッド１とインクタンクとは別個のものであるが、記録ヘッド１とインクタンクとは一体として構成されてもよい。また、本実施形態において記録ヘッド１は、不図示のヘッドホルダに保持されている。
【００１５】
図１に示すように、記録ヘッド１に対してＹ方向上流側に、搬送手段の１つとしてメイン搬送ローラ６およびメインピンチローラ７により構成されたメインローラ対６７が設けられている。また、記録ヘッド１に対してＹ方向下流側に、搬送手段の１つとしてサブ搬送ローラ８およびサブピンチローラ９により構成されたサブローラ対８９が設けられている。不図示の制御部からの制御により、メイン搬送ローラ６およびサブ搬送ローラ８が回転し、この回転にメインピンチローラ７およびサブピンチローラ９が従動することにより、それぞれのローラ対の間に記録媒体５を挟持しながらこれを搬送する。
【００１６】
メインローラ対６７と記録ヘッド１ａとの間には、サブフィードローラ１０ａおよびピンチローラ１７ａにより構成されたフィードローラ対７８ａが配置されている。記録ヘッド１ａと記録ヘッド１ｂとの間には、サブフィードローラ１０ｂとピンチローラ１７ｂとにより構成されたフィードローラ対７８ｂが配置されている。
【００１７】
記録ヘッド１ｂと記録ヘッド１ｃとの間には、サブフィードローラ１０ｃとピンチローラ１７ｃとにより構成されたフィードローラ対７８ｃが夫々配置されている。記録ヘッド１ｄとサブローラ対８９との間には、サブフィードローラ１０ｄおよびピンチローラ１７ｄにより構成されたフィードローラ対７８ｄが配置されている。
【００１８】
フィードローラ対７８ａ〜７８ｄは、記録媒体５が記録ヘッド１の吐出口面Ｐに近づき、記録媒体５に記録されたインクがすれたりすることなどを防止し、記録媒体５と記録ヘッド１の吐出口面Ｐとの間隔を一定にする。
【００１９】
ピンチローラ１７ａ〜１７ｄ（部材）はピンチローラベース１１ａ〜１１ｄ（支持部材）に回動自在に取り付けられており、ピンチローラベース１１ａ〜１１ｄに支持されている。なお、本実施形態においてピンチローラ１７ａ〜１７ｄは、ピンチローラベース１１ａ〜１１ｄにそれぞれ２つずつ取り付けられている。
【００２０】
図１に示すように、各ピンチローラベースは、ピンチローラの取り付け部に近い位置から順に、吸引用ベース１２および供給用ベース１３が重ねて構成されている。Ｘ方向における吸引用ベース１２の長さは供給用ベース１３の長さよりも長く、両者を重ね合わせた際にＸ方向の両端部に段差ができるようになっている。
【００２１】
同図に示すように、ピンチローラベース１１ａ以外のピンチローラベースには、吸引用ベース１２のＸ方向の両端部に吸引用チューブ１５が接続されている。各供給用ベース１３のＸ方向の両端部に供給用チューブ１６が接続されている。ピンチローラベースおよびピンチローラなどの構成について詳細は、図３（ａ）、（ｂ）および図４を参照して後述する。
【００２２】
図２は記録ヘッド１の吐出口面とは反対側から見た記録装置５０の内部構成を示す平面図である。同図に示すように、本実施形態においては、メインピンチローラ７とサブピンチローラ９との間に、４つのピンチローラベースと３つの記録ヘッドとが交互に配置されている。図２に示すように、本実施形態においては、複数の記録ヘッドに対して搬送方向上流側および下流側に、および隣接する記録ヘッド間に、ピンチローラベースが配置されている。
【００２３】
図２に示す線IIIａ‐IIIａに沿った面は図３（ａ）にて、線IIIｂ‐IIIｂに沿った面は図３（ｂ）にて、線IV‐IVに沿った面は図４にて、線Ｖ‐Ｖに沿った面は図５（ａ）にて、線VI‐VIに沿った面は図６（ａ）にて、それぞれ説明する。
【００２４】
図３（ａ）は図２に示す線IIIａ−IIIａに沿った面を示す断面図であり、図３（ｂ）は図２に示す線IIIｂ−IIIｂに沿った面を示す断面図である。同図（ａ）はピンチローラベース１１ｂのＹ方向下流側の側面を示しており、同図（ｂ）はピンチローラベース１１ｂのＹ方向上流側の側面を示している。図３（ａ）においては加湿された空気を供給する状態を、図３（ｂ）においては空気などを吸引する状態を、それぞれ説明する。
【００２５】
図３（ａ）および（ｂ）に示すように、ピンチローラベース１１ｂにはＸ方向に沿って２つのピンチローラ１７ｂが取り付けられている。ピンチローラ１７ｂは、その両端部の軸がピンチローラベース１１ｂのピンチローラ軸受１８とそれぞれ係合することによって、回転可能にピンチローラベース１１ｂに取り付けられている。
【００２６】
図３（ａ）に示すように、ピンチローラベース１１ｂには２つピンチローラ１７ｂとそれぞれ対向する面に供給口２３が設けられており、２つの供給口２３と供給用ベース１３との間には供給用ダクト２２がそれぞれ設けられている。また、ピンチローラ軸受１８が設けられている面を１つの面とする供給口２５が４つ設けられている。供給口２５と供給用ベース１３との間には供給用ダクト２４がそれぞれ設けられている。２つのピンチローラ１７ｂの間の略中間地点には供給口２７が設けられており、供給口２７と供給用ベース１３との間には供給用ダクト２６が設けられている。
【００２７】
図３（ａ）に示すように、Ｘ方向において、ピンチローラベース１１ｂに供給口２３、供給口２５、および供給口２７が設けられている範囲は、記録媒体５の幅よりもやや広い範囲である。なお、図３（ａ）に示す矢印Ｂ１は供給口２３から供給される空気を、矢印Ｂ２は供給口２５から供給される空気を、矢印Ｂ３は供給口２７から供給される空気を、夫々示している。
【００２８】
図３（ｂ）に示すように、ピンチローラベース１１ｂの側面をＹ方向上流側から見ると、ピンチローラベース１１ｂに記録ヘッド１ｂの記録幅（Ｘ方向における長さ）と略同じ長さを有する吸引口２１が設けられている。この吸引口２１と吸引用ベース１２との間には吸引用ダクト２０が設けられている。なお、同図（ｂ）に示す矢印Ａ１は、吸引口２１に吸引される空気の流れを示している。
【００２９】
図４は図２の線IV‐IVに沿った面を示す断面図であり、ピンチローラベース１１ｂおよびその周辺の構成を示している。同図に示すように、ピンチローラベース１１ｂを構成する吸引用ベース１２および供給用ベース１３は、その内部が中空の構造となっている。
【００３０】
また、図４に示すように、記録装置５０は供給部３０（供給源）と吸引部３２とを備えている。供給部３０は加湿部３１を備えており、供給用チューブ１６へ加湿された空気を供給する。本実施形態において加湿部３１は、水分を蒸発させて加湿する気化式の加湿方法を用いる。本実施形態においては、吸水性が比較的高く且つ回転可能な物体を、水分を吸収させながら回転させ、空気にふれさせることによって、空気を加湿する。
【００３１】
吸引部３２は、吸引用チューブ１５を介して、供給部３０から吐出口面Ｐと記録媒体５との間に供給された空気とともにインクミスト（霧状の液体）を吸引する。インクミストを含んだ空気のうちインクミストは吸引部３２の不図示のフィルタ（回収部材）にて回収され、空気はフィルタを通過して吸引される。
【００３２】
本実施形態において供給部３０は例えばファンなどを用い、吸引部３２は例えばポンプなどを用いる。送風動作が開始されると、供給部３０の内部にて加湿された空気が加圧され、この空気は供給用チューブ１６を介して、ピンチローラベースの導入口へ導入され、ピンチローラベースの供給口から導出される。吸引動作が開始されると、吸引部３２の内部は外部よりも圧力が低い状態となり、これに接続する吸引用ベース、吸引用チューブ１５の内部に空気およびインクミストを集め、吸引部３２にインクミストを含んだ空気を吸引するようになっている。
【００３３】
本実施形態においては、供給用ベース１３の内部が中空構造となっているので、供給部３０から供給される空気を供給用ベース１３の内部にて滞留させることによって、圧力変動を抑えて、供給口から空気を安定的に供給することができる。
【００３４】
また、図４に示すように、ピンチローラ１７ｂはサブフィードローラ１０ｂに対して、ピンチローラバネ１９によって、付勢されている。ピンチローラ１７ｂとサブフィードローラ１０ｂとは、その間に記録媒体５を挟持している。
【００３５】
図５（ａ）は図２の線Ｖ‐Ｖに沿った面を示す断面図であり、記録装置５０の記録媒体５の搬送方向に沿った断面を示している。図５（ａ）に示すように、メインローラ対６７とサブローラ対８９との間には、フィードローラ対７８ａ〜７８ｄおよび記録ヘッド１ａ〜１ｃが交互に配置されている。
【００３６】
本実施形態においては、１つの記録ヘッドに対してＹ方向上流側から空気を供給し、Ｙ方向下流側から空気およびインクミストを吸引する。したがって、それよりもＹ方向上流側に記録ヘッドが配置されていないピンチローラベース１１ａはインクミストなどの吸引に用いられない。そのため、図５（ａ）に示すように吸引用ベース１２ａは中実の構造となっており、図１を参照して説明したようにピンチローラベース１１ａには吸引用チューブが接続されていない。
【００３７】
他方、それよりもＹ方向下流側に記録ヘッドが配置されていないピンチローラベース１１ｄは記録ヘッドの吐出口面の加湿には用いられない。そのため、図５（ａ）に示すピンチローラベース１１ｄのピンチローラ１７ｄに対応する部分には供給口が設けられていない。しかし、詳細は後述するが、図６（ａ）に示すように、ピンチローラ１７ｄが設けられていない位置において、Ｙ方向下流側に向かう空気の流れを防止するために、ピンチローラベース１１ｄからも空気が供給される。
【００３８】
図５（ｂ）は同図（ａ）の拡大図であり、記録ヘッド１ａ〜１ｃとこれらの間に配置されたピンチローラベース１１ｂ、１１ｃを示している。同図（ｂ）に示すように、吸引用ベース１２の内部と吸引口２１とを接続する吸引用ダクト２０は、吸引口２１付近において湾曲部２１ａを有している。記録ヘッド１の吐出口面Ｐと記録媒体５との間の空間に流れる空気およびインクミストは、吸引口２１から、上記空間を離れる方向（図中Ｚ方向）へ吸引用ダクト２０に沿って、吸引される。
【００３９】
吸引用ダクト２０に湾曲部２１ａが設けられているため、吸引されたインクミストが吸引用ダクト２０の内壁などに付着して記録媒体５に向かう方向（図中−Ｚ方向）へ戻るような動きをしたとしても、湾曲部２１ａにてインクミストを留めることができる。これにより、記録媒体５にインクミストが付着することを防止することができる。
【００４０】
なお、図５（ａ）および（ｂ）は、ピンチローラ１７が取り付けられている位置の断面を示しているので、供給口２３はピンチローラ１７に向かって開口しないようになっている。すなわち、図５（ｂ）に示すように、ピンチローラ１７と対向する面に設けられる供給口２３の供給用ダクト２２は、ピンチローラ１７に加湿された空気を直接当てないために、供給口２３付近に屈曲部２３ａを有している。したがって、供給部３０から供給される空気は、供給用ベース１３内を経て、記録媒体５に対して略垂直である供給用ダクト２２内を略直進し、屈曲部２３ａにて方向を僅かに変更され供給口２３から供給される。
【００４１】
図５（ａ）、（ｂ）に示されるように、ピンチローラベース１１ｂの供給口２３からの空気は、記録ヘッド１ｂの側面に当たり、その側面に沿って記録媒体５に向かう。そして、この空気は記録媒体５に当たり、その進行方向を変更させられ、ピンチローラ１７ｂの存在によってＹ方向上流側に向かうことを妨げられ、記録媒体５の搬送に伴う空気の流れにのる。
【００４２】
この空気は、Ｙ方向下流側へ向かい、吐出口から生じたインクミストを、記録媒体５の搬送に伴って生じる空気の流れおよび吸引口２１へ吸引される空気の流れにのせて、ピンチローラベース１１ｃの方向へ向かう。そして、この空気は、ピンチローラ１７ｃの存在によって、および吸引部３２の吸引力によって、その進行方向を変更して、吸引口２１にて吸引される。
【００４３】
図６（ａ）は図２の線VI‐VIに沿った面を示す断面図であり、１つのピンチローラベース１１に取り付けられる２つのピンチローラ１７の間の位置であり、ピンチローラ１７が取り付けられていない位置の断面を示している。図６（ｂ）は同図（ａ）の拡大図である。なお、図６（ａ）および（ｂ）における空気を供給する側の構成、すなわち供給用ダクトおよび供給口以外の構成は、図５（ａ）および（ｂ）における構成と同様であるので、説明を省略する。
【００４４】
図６（ａ）および（ｂ）においては供給口２７のみを図示しているが、図３に示す供給口２５、２７は、ピンチローラ１７に対向する面以外に設けられているので、屈曲部を有しない。したがって、供給部３０から供給される空気は、供給用ベース１３内を経て、記録媒体５に対して略垂直である供給用ダクト２６内を略直進し、その進行方向を変更せずに供給口２７から供給される。
【００４５】
図６（ａ）および（ｂ）に示すように、ピンチローラベース１１ｂの供給口２７からの空気は、記録媒体５に当たり、その進行方向を変更して、記録媒体５の搬送に伴う空気の流れにのって、Ｙ方向上流側から吐出口面Ｐと記録媒体５との間の空間に供給される。そして、吐出口から生じたインクミストを巻き込み、Ｙ方向下流側のピンチローラベース１１ｃの吸引口２１に吸引される。
【００４６】
上述のように、また、図６（ａ）に示すように、ピンチローラベース１１ｄには他のピンチローラベースと同様に、供給用ダクト２６および供給口２７が設けられている。また、図示しないが、ピンチローラベース１１ｄには、供給用ダクト２４および供給口２５も設けられている。Ｙ方向最下流側に位置するピンチローラベースのピンチローラが設けられていない空間からも空気を供給することによって、空気の膜を形成し、吸引口にて空気が吸引される空気の流れを作ることができる。
【００４７】
なお、ピンチローラベース１１ｄの供給口から供給される空気は、吐出口の乾燥を防止することを目的とするものではないので、加湿されていても加湿されていなくてもよい。
【００４８】
なお、図５（ａ）、（ｂ）および図６（ａ）、（ｂ）に示すように、本実施形態において、Ｚ方向における吸引口２１と記録媒体５との間隔がピンチローラの直径よりも広くなる位置に、吸引口２１が設けられている。同様に、図５（ａ）および（ｂ）に示すように、ピンチローラに対応する位置にある供給口２３と記録媒体５との間隔がピンチローラの直径よりも広くなる位置に、供給口２３が設けられている。他方、図６（ａ）および（ｂ）に示すように、ピンチローラに対応しない位置にある供給口２７と記録媒体５との間隔がピンチローラの直径よりも狭くなる位置に、供給口２７が設けられている。
【００４９】
図７は図５（ａ）の線VII‐VIIに沿った面を示す図であり、記録装置５０における空気の流れを示す平面図である。上述のように、また、図７に示すように、本実施形態においては、各記録ヘッドに対して、記録媒体の搬送方向上流側から加湿された空気Ｂ１〜Ｂ３を供給し、搬送方向下流側にてインクミストを含んだ空気Ａ１を吸引する。本実施形態においては、この加湿された空気の供給口およびインクミストを含んだ空気の吸引口が、複数の記録ヘッドごとに設けられている。
【００５０】
したがって、本実施形態においては、複数の記録ヘッドごとに吐出口面の加湿、および吐出口面と記録媒体との間からのインクミストの回収ができる。これによって、全ての記録ヘッドの吐出口をそれぞれ加湿して、吐出口が乾燥することを防止することができる。また、搬送方向上流側の記録ヘッドの吐出口から生じたインクミストが、搬送方向下流側の記録ヘッドの吐出口面などに流入することを防止することができる。
【００５１】
また、本実施形態においては、ピンチローラベースに供給口と吸引口とを設けることによって、記録ヘッド間の間隔が広くなることを抑制し、装置の小型化を図ることができる。
【００５２】
なお、本実施形態において、供給される空気の量の割合は適宜調整することができる。例えば、どの位置に配置されている記録ヘッドに供給される空気かによって、その量の割合を調整してもよい。吸引される空気の量の割合も適宜調整することができる。
【００５３】
供給される空気の量、および吸引される空気などの量は、記録デューティ、記録媒体の種類、記録媒体のサイズ、インクなどの液体の種類、記録媒体の搬送速度などの条件に応じて、調整することができる。また、供給される空気は、加湿されていることに加えて、湿度や温度が一定に制御されていることがより好ましい。これにより、記録ヘッドと記録媒体との間の空間の湿度および温度を調整することができ、記録ヘッドの吐出口を吐出に最適な状態とすることもできる。
【００５４】
なお、本実施形態においては、吐出口からのインクの吐出開始とともに空気の供給および吸引を開始し、吐出口からのインクの吐出終了とともに空気の供給および吸引を終了する。しかし、吐出口からのインクの吐出開始前から空気の供給および吸引を開始してもよいし、吐出口からのインクの吐出の終了後も所定時間の経過後に空気の供給および吸引を終了してもよい。この所定時間は記録デューティなどの条件によって定めることができる。
【００５５】
（その他）
上記実施形態の図１においては、直方体の形状のピンチローラベースを図示したが、ピンチローラベースの形状は例えば円柱形状であってもよい。すなわち、ピンチローラベースの形状などは図示したものに限定されるものではない。
【００５６】
また、上記実施形態においては、記録媒体の幅よりもやや広い範囲に供給口が設けられ、記録ヘッドの最大記録幅と略等しい領域の全域に渡って吸引口が設けられている構成について説明した。しかしながら、供給口および吸引口が設けられる範囲は特に限定されるものではなく、記録媒体の幅と略等しくてもよいし、記録ヘッドの最大記録幅よりも広くてもよい。
【００５７】
また、上記実施形態においては、各ピンチローラベースに６つの供給口および１つの吸引口が設けられている構成について説明したが、供給口および吸引口の個数はこの個数に限定されるものではない。また、各供給口および各吸引口は、複数の開口を有するスリット状の形態であってもよい。
【００５８】
なお、上記実施形態においては、吸引口と記録媒体との間隔がピンチローラの直径よりも広くなる位置に吸引口が設けられている。また、上記実施形態においては、ピンチローラに対応しない位置にある供給口と記録媒体との間隔がピンチローラの直径よりも狭くなる位置に、ピンチローラに対応しない位置にある供給口が設けられている。
【００５９】
しかしながら、吸引口およびピンチローラに対応しない位置に配置される供給口が設けられる位置はこれに限定されるものではない。例えば、記録媒体に対して、ピンチローラの記録媒体に接する面とは反対の面の位置よりも近い位置に吸引口が設けられていてもよい。また、記録媒体に対して、ピンチローラの記録媒体に接する面とは反対の面の位置よりも遠い位置に、ピンチローラに対応しない位置にある供給口が設けられていてもよい。
【００６０】
上記実施形態においては、シアン、マゼンタ、およびイエローの３色のインクに対応する３つの記録ヘッドを用いる構成について説明したが、インク色の数および記録ヘッドの個数はこの数に限定されるものではない。すなわち、インク色の数および記録ヘッドの個数は上記以上の個数であってもよいし、それ未満の個数であってもよい。記録ヘッドの個数を変更する場合は、それに応じて供給口および吸引口を有するピンチローラベースの数を変更することができる。
【００６１】
上記実施形態においては、複数の記録ヘッドごとに加湿された気体を供給してインクミストを吸引する構成について説明したが、本発明は１つの記録ヘッドに対しても適用することができる。この場合も、１つの記録ヘッドに対して上流側に位置するピンチローラベースに供給口を設け、１つの記録ヘッドに対して下流側に位置するピンチローラベースに吸引口を設けることによって、インクミストを的確に回収することができる。
【００６２】
また、上記実施形態においては、記録ヘッド１の吐出口面Ｐに記録媒体５の幅方向の全域に渡って吐出口が設けられ、１つの吐出口列を有する構成について説明した。しかし、記録ヘッド１の吐出口面Ｐには所定数の吐出口が設けられたチップが千鳥状に配置されていてもよい。
【００６３】
上記実施形態においては、発熱抵抗素子を用いるインクの吐出方式を用いる場合について説明した。本発明におけるインクの吐出方式は、この吐出方式以外にも、ピエゾ素子を用いた方式、静電素子を用いた方式、およびＭｉｃｒｏ Ｅｌｅｃｔｒｏ Ｍｅｃｈａｎｉｃａｌ Ｓｙｓｔｅｍｓ（ＭＥＭＳ）素子を用いた方式等を採用することができる。
【００６４】
また、加湿方法を気化式とする場合について説明したが、加湿方法にはそれ以外の方法を用いてもよい。例えば、水噴霧式、蒸気式などの方法を用いてもよい。また、気化の方法についても、上述したような回転式のほか、透湿膜式、滴下浸透式、毛細管式などを用いてもよい。水噴霧式としては、超音波式、遠心式、高圧スプレー式、２流体噴霧式などがある。蒸気式としては、蒸気配管式、電熱式、電極式などがある。
【００６５】
本発明は、記録媒体に各種処理（記録、加工、塗布、照射、読取、検査など）を施すインクジェット記録装置に適用できる。また、記録媒体には、紙、プラスチック、フィルム、繊維、金属、基板など、材質を問わずに、インクジェット記録装置によって各種処理が施される媒体が含まれる。
【００６６】
また、本発明の液体吐出装置は、インクジェット記録ヘッドを用いるインクジェット記録装置の他、種々の処理液や薬剤などを処理部材に付与するための装置として、広く適用することができる。
【符号の説明】
【００６７】
１ａ〜１ｃ        記録ヘッド（液体吐出ヘッド）
１２              吸引用ベース（吸引手段）
１３              供給用ベース（供給手段）
２３、２５、２７  供給口
２１              吸引口
１７ａ〜１７ｄ    ピンチローラ（部材）
５０              記録装置（液体吐出装置）
【図１】
2014205262.tif 000003
【図２】
2014205262.tif 000004
【図３】
2014205262.tif 000005
【図４】
2014205262.tif 000006
【図５】
2014205262.tif 000007
【図６】
2014205262.tif 000008
【図７】
2014205262.tif 000009